(57)【特許請求の範囲】
【請求項１】
地中埋設管の先端に取り付けて用いるヘッド部材であって、埋設管５の先端内に挿入連結させるキャップ１と、該キャップ１の先端側に連結させるアンカー部材２と、これらのキャップ１とアンカー部材２とを連結する連結部材３とからなり、
前記埋設管５が、所定の間隔を隔てて螺旋巻きされた補強線材５１と、この隣り合う補強線材５１，５１間に掛け渡された、微細な無数の集水孔５４を有する集水壁５２とを備え、かつ該補強線材５１が、集水壁面からパイプの内面側に向かって突出する突条部５３を備えている構造とされ、
前記キャップ１が、筒状の周壁１１と、その先端側に連設された底壁１２と、周壁１１の外周面において螺旋状に連設形成された線状部材４とを備え、
該線状部材４が弾性を備えていて、その螺旋ピッチが、前記埋設管５における補強線材５１の螺旋ピッチと略同ピッチに形成され、
その上端側部分４１がキャップ１の外周に直接または間接的に固着され、他の部分が非固着状態とされ、少なくともその下端側部分４３か途中部分４２が前記埋設管５における集水壁５２の内周径よりも外周に突出する大径部分を備えた形状としてある地中埋設管用ヘッド部材。
【請求項２】
キャップ１の外周面に固着された線状部材４が、硬質合成樹脂材で形成された線材である請求項１に記載の埋設管用ヘッド部材。
【請求項３】
アンカー部材２が平板状に形成されているものである請求項１または２の何れかに記載の地中埋設管用ヘッド部材。
【請求項４】
アンカー部材２とキャップ１の底壁１２とが、ボルト３１とナット３２からなる連結部材３によって、ボルト３１を回転軸とする相対回転自在に連結されている請求項１乃至３の何れかに記載の地中埋設管用ヘッド部材。
【発明の詳細な説明】
【技術分野】
【０００１】
本発明は、地中に埋設して使用される管体であって、例えば、ドレンパイプと呼ばれる土壌改良用の集水パイプの先端部に連結して使用されるヘッド部材に関するものである。また上記用途のみならず、ボーリングに用いる管のヘッド部材として利用することも可能である。
【背景技術】
【０００２】
この種の地中埋設管には、例えば、図１において符号５で示したように、硬質合成樹脂製の補強線材を所定の間隔を隔てて螺旋状に巻回形成させ、この補強線材の外周面上に、合成樹脂製の薄い延伸フィルム材で形成した織布と不織布とを積層形成した集水用膜状布を集水壁として巻き付け、前記補強線材の上に別の補強線材を巻き付け、前記集水用膜状布を挟み込んで一体化したパイプが例示される。
【０００３】
他方、このような集水壁を備えた螺旋補強パイプを地中埋設管として地中に挿入させるには、パイプの先端開口部を閉塞する必要があり、かつ、この先端部を損傷させないように保護する手段が必要である。それ故先行技術では、図８に示したように、ドレンパイプＰの先端に取り付ける筒体０１を、外周面に螺旋溝０１３を備えた円筒体とし、その底部から下方に向かって突出体０１１を突出させてあるものとし、アンカー部材０２を、側面視Ｖ字形に曲げ加工した鉄板製の部材とし底板上面からも上方に向かって金属板０２１を突出させてあるものとし、これらの突出体０１１と金属板０２１とを連結させてある構造としたものであって、この構造も本出願人によって既に開発され公知となっている。
【特許文献１】特開２００２−３８４６０号公報
【特許文献２】特開２００２−８１０４９号公報
【発明の開示】
【発明が解決しようとする課題】
【０００４】
しかしながら、上記のヘッド部材０１，０２は、パイプを地中に敷設する際に、パイプに対しヘッド部材が連結解除方向に相対回転することを阻止する手段を講じていなかった。つまり、パイプに対してヘッド部材が連結解除方向に相対回転することにより、パイプとヘッド部材が連結されている状態が解除されてしまい、この結果、パイプの地中への埋設が良好にできなくなる可能性が残るものであった。
【０００５】
本発明は、このような構造としたヘッド部材０１，０２が有していた課題に着目し、パイプに対しヘッド部材が相対回転してもパイプからヘッド部材が外れることなく、パイプを地中へ良好に埋設できるヘッド部材をここに提供しようとするものである。
【課題を解決するための手段】
【０００６】
該目的を達成するために講じた本発明にいうところの地中埋設管用ヘッド部材の構成を、実施例において使用した符号を用いて説明すると、埋設管の先端に取り付けて用いるヘッド部材であって、埋設管５の先端内に挿入連結させるキャップ１と、該キャップ１の先端側に連結させるアンカー部材２と、これらのキャップ１とアンカー部材２とを連結する連結部材３とからなり、前記埋設管５が、所定の間隔を隔てて螺旋巻きされた補強線材５１と、この隣り合う補強線材５１，５１間に掛け渡された、微細な無数の集水孔５４を有する集水壁５２とを備え、かつ該補強線材５１が、集水壁面からパイプの内面側に向かって突出する突条部５３を備えている構造とされ、前記キャップ１が、筒状の周壁１１と、その先端側に連設された底壁１２と、周壁１１の外周面において螺旋状に連設形成された線状部材４とを備え、
該線状部材４が弾性を備えていて、その螺旋ピッチが、前記埋設管５における補強線材５１の螺旋ピッチと略同ピッチに形成され、その上端側部分４１がキャップ１の外周面に直接または間接的に固着され、他の部分が非固着状態とされ、少なくともその下端側部分４３か途中部分４２が前記埋設管５における集水壁５２の内周径よりも外周に突出する大径部分を備えた形状に形成されている構成としたものである。
【発明の効果】
【０００７】
以上のように、本発明にいうところの地中埋設管用ヘッド部材は、キャップが周壁の外周面に、螺旋状に連設された弾性を有する線状部材を備えているものとし、この線状部材を、その上端側部分のみを固着し、他の部分を非固着状態とし、少なくともその下端側部分か途中部分が、無負荷状態で、地中埋設管における集水壁の内周径よりも外周に突出する大径部分を備えた形状としてあるので、埋設管の一端開口部内にキャップを挿入するに際して、埋設管の開口に対しキャップを単に回転させながら挿入するという単純な操作で、線状部材における外方突出状態の大径部分をパイプの集水壁に案内させながら小径化、即ち、パイプ集水壁の内周面に接触する形状に小径化させながら挿入することとなり、このようにして、一旦パイプの端部内に挿入させたキャップは何等の他の操作をも必要とすることなく、線状部材のパイプ集水壁への接触圧によって、逆回転が阻止され挿入位置に保持されることとなる。したがって、埋設管へのキャップの取付を、ほぼワンタッチ状に極めて迅速簡単に行うことができるという顕著な効果を有する。
【０００８】
殊に、このようにしてパイプの端部に取り付けられたキャップは、埋設管の運搬時や地中への打ち込みに際しても、抜け落ちたり抜け出したりする不都合がなく使用することができ、地中埋設管の地中への打ち込み操作を安全にできるという利点がある。
【０００９】
また、請求項３に記載のように、アンカー部材を平板状のものとした場合には、該アンカー部材のキャップへの連結作業を広い空間内で容易にできるという効果がある。更に、請求項４に記載のように、アンカー部材をキャップに対して相対回転自在に連結させておいた場合には、地中埋設管の地中への打ち込み時に、アンカー部材が何らかの回転力を受けた場合であっても、回転力がキャップを経て埋設管に伝達しないようにして、管の破損や変形等の問題を有意に抑制できる効果がある。また、仮に若干の回転力がキャップに伝達された場合でも、キャップに設けられている線状部材が管内壁へ接当してキャップと埋設管の相対回転を抑止するので、埋設管からキャップが脱落しないようにできる効果もある。これら２点の相乗効果により、埋設管を最良の状態で敷設でき、しかも、安全に施工できる利点がある。
【発明を実施するための最良の形態】
【００１０】
上記のような構成とした地中埋設管用ヘッド部材を実施するに当たっては、前記キャップ１を、その全体を合成樹脂素材で成形してあるものとし、前記アンカー部材２は、その全体を合成樹脂素材による成形品のほか、例えば鋼材のような鉄系金属で形成することができる。また、線状部材４も、硬質合成樹脂素材のほかステンレス線材のような金属素材で形成することができる。
【実施例】
【００１１】
以下本発明の実施例について図面に基づいて説明する。図１乃至図５は、本発明の第１実施例を示す図であって、図１は地中埋設管への取り付け状態を示す一部破断図、図２はキャップとアンカー部材との正面図、図３は同部材の平面図、図４は埋設管へのヘッド部材の取り付け手段を説明する一部破断正面図、図５は埋設管へのヘッド部材の取り付け状態を説明する平面図である。
【００１２】
該実施例に示した地中埋設管用ヘッドは、図１に示したように埋設管５の先端に取り付けて、該パイプ５に先行して地中に圧入させる先端治具である。そして、この治具は、該埋設管５の先端内部に挿入させるキャップ１の部分と、このキャップ１の先端側に連結して使用するアンカー部材２と、これらを連結する連結部材３と、キャップ１の外周に設けられた線状部材４とによって構成されている。
【００１３】
而して、このヘッド部材を取り付けて使用する埋設管５は、図１に示したように、パイプの内面側に向かって突出する突条部５３を備えた硬質合成樹脂製の第１の補強線材を所定の間隔を隔てて螺旋状に巻回形成させ、この補強線材の外周面上に、合成樹脂製の薄い延伸フィルム材で形成した織布と不織布とを積層形成して微細な無数の集水孔５４を備えた集水用膜状布を巻き付けて集水壁５２とし、この膜状布を押し付けるように、前記第１の補強線材の上に別の（第２の）補強線材を巻き付け、前記集水用膜状布を挟み込んで一体化すると同時に、補強線材も内外一体化して一つの補強線材５１としたものである。
【００１４】
前記キャップ１は、地中にあっても経時劣化が少なく、環境問題を引き起こすことのない非塩素系樹脂素材であるポリエチレン樹脂で全体を、円筒状の周壁１１と底壁１２とを有する有底円筒状に一体的に成形した単一体であって、その底壁１２の中央には、アンカー部材２を連結するための小孔を形成してある。
【００１５】
また、該キャップ１の周壁１１の外周面には、同様に、ポリエチレン樹脂で形成した線状部材４を連設してある。この線状部材４は、弾性を備えていて、その螺旋ピッチを、前記埋設管５における補強線材５１の螺旋ピッチと略同じピッチに形成してあり、その上端側部分４１のみをキャップ周壁１１の外周面１３に突出形成させた第１の突起４ａ近傍のキャップ周壁上面に樹脂溶着手段または接着剤を用いて固着させてある。そして他の部分は、固着されていず、遊端状態としてある。また、外圧の作用しない平常状態では、図３に示したように平面視形状において、その途中部分（図３において上方部分）４２が、周壁１１から大きく突出する形状としてある。即ち、この途中部分４２を、前記埋設管５における集水壁５２の内周径よりも外周に突出するように大径形状としてある。なお、図中
の符号４ａ〜４ｃは、線状部材４の螺旋姿勢を支持するための第１〜第３の突起である。これらの突起４ａ〜４ｃはキャップ１の管軸方向への直線的な自由移動を阻止するための抜け止め部材として機能するものでもある。
【００１６】
前記アンカー部材２は、その全体を平板状の鋼板によって略円形状に形成したものであって、その中央部には、キャップとの連結用の小孔を穿ってある。また、平面形状を真円形状とすることなく、図３のように、この実施例では、略Ｚ字形としてある。
【００１７】
このような構造としたキャップ１とアンカー部材２とを連結するには、これら両部材にそれぞれ穿設形成した前記小孔を利用して、図２，３に明らかなように、ボルト３１とナット３２からなる連結部材３を用いて上下方向に連結する。
【００１８】
このようにしたヘッド部材を埋設管５に対して取り付けるには、埋設管５の一端開口部内にキャップ１を回転させながら挿入することにより、線状部材４における外方突出状態の大径部分を埋設管５の集水壁５２に接触案内させて小径化させながら挿入すればよい。このようにして、一旦パイプの端部内に挿入させたキャップ１は、線状部材４のパイプ集水壁５２との接触圧によって逆回転が阻止されることとなって、挿入位置に保持される。
【００１９】
前記埋設管５の径や補強線材５１のピッチ等については必要に応じて適宜に実施されるものであって、一定形のものとする必要性はない。
【００２０】
図６及び図７は第２実施例について示したものであって、キャップ１に取り付けた線状部材４の平面視形状を、図６にみられるように、上端側固定部分４１から次第にキャップ１から遠ざかる渦巻き状に形成してあるものとし、即ち、末端部分４３に至るほど大径となるように形成し、埋設管５の集水壁５２を損傷させないように、最末端部分を少し内径側に曲げてある形状としたものである。その他の点については、前記第１実施例の説明に準ずる構造としてある。
【００２１】
以上本発明の代表的と思われる実施例について説明したが、本発明は必ずしもこれらの実施例構造のみに限定されるものではなく、本発明にいうところの前記構成要件を備え、かつ、本発明にいう目的を達成し、前記の効果を有する範囲内において適宜改変して実施することができるものである。
【図面の簡単な説明】
【００２２】
【図１】第１実施例の使用状態を示す一部切欠正面図。
【図２】同ヘッド部材の正面図。
【図３】同部材の平面図。
【図４】埋設管への取り付け手段を説明する一部切欠正面図。
【図５】埋設管への取り付け状態を説明する平面図。
【図６】第２実施例を示すヘッド部材の平面図。
【図７】同部材の埋設管への取り付け状態を説明する平面図。
【図８】先行例を示す斜視図。
【符号の説明】
【００２３】
１  キャップ
１１  周壁
１２  底壁
２  アンカー部材
３  連結部材
４  線状部材
４１  上端側部分
４２  途中部分
４３  下端側部分
５ 埋設管
５１  補強線材
５２  集水壁
５３  突条部
５４  集水孔
【図１】
0004575888.tif 000002
【図２】
0004575888.tif 000003
【図３】
0004575888.tif 000004
【図４】
0004575888.tif 000005
【図５】
0004575888.tif 000006
【図６】
0004575888.tif 000007
【図７】
0004575888.tif 000008
【図８】
0004575888.tif 000009